(57)【要約】【課題】コンテンツの推奨機能を使おうとするユーザのモチベーションを低減することなく、ユーザにコンテンツを推奨する。【解決手段】有料コンテンツ及び無料コンテンツから選択された推奨コンテンツを示す情報と、上記推奨コンテンツの中から選択された最もおすすめのコンテンツを示す情報と、を含む推奨コンテンツリストを生成し、生成された上記推奨コンテンツリストに含まれる最もおすすめのコンテンツが無料コンテンツである割合は、ある期間において、所定の割合以上である。【選択図】図７
2019205092.tif 000002
【特許請求の範囲】
【請求項１】
記憶部と制御部とを備えている情報処理装置であって、
上記制御部は、
上記記憶部が記憶するコンテンツ関連情報と視聴履歴情報とに基づいて、
有料コンテンツ及び無料コンテンツから選択された推奨コンテンツを示す情報と、
上記推奨コンテンツの中から選択された最もおすすめのコンテンツを示す情報と、
を含む推奨コンテンツリストを生成し、
生成された上記推奨コンテンツリストに含まれる最もおすすめのコンテンツが無料コンテンツである割合は、ある期間において、所定の割合以上である
ことを特徴とする情報処理装置。
【請求項２】
上記推奨コンテンツリストに含まれる最もおすすめのコンテンツは、期間によらず、無料コンテンツである
ことを特徴とする請求項１に記載の情報処理装置。
【請求項３】
上記推奨コンテンツリストの対象範囲において、半数以上が無料コンテンツである
ことを特徴とする請求項１又は２に記載の情報処理装置。
【請求項４】
上記推奨コンテンツリストは推奨コンテンツを表示する順序を示す情報を含み、
上記推奨コンテンツリストの対象範囲において、上記順序は、有料コンテンツが２つ以上連続しないように決定されることを特徴とする請求項１から３の何れか１項に記載の情報処理装置。
【請求項５】
上記制御部は、上記推奨コンテンツリストの対象範囲に含まれる有料コンテンツの数を、上記推奨コンテンツリストを提示するユーザの属性に応じて変化させる
ことを特徴とする請求項１から４の何れか１項に記載の情報処理装置。
【請求項６】
通信部を更に備え、
上記制御部は、上記推奨コンテンツリストを上記通信部を介して送信する
ことを特徴とする請求項１から５の何れか１項に記載の情報処理装置。
【請求項７】
上記制御部は、上記推奨コンテンツリストにおける最もおすすめのコンテンツを含む通知を、上記通信部を介して送信する
ことを特徴とする請求項６に記載の情報処理装置。
【請求項８】
情報処理装置と、表示装置と備えている情報処理システムであって、
上記情報処理装置は、第１の通信部と第１の記憶部と第１の制御部とを備え、
上記第１の制御部は、
上記第１の記憶部が記憶するコンテンツ関連情報と視聴履歴情報とに基づいて、
有料コンテンツ及び無料コンテンツから選択された推奨コンテンツを示す情報を含む推奨コンテンツリストを生成し、
生成された推奨コンテンツリストを上記第１の通信部を介して上記表示装置に送信し、
上記表示装置は、第２の通信部と第２の制御部と表示部とを備え、
上記第２の制御部は、
上記情報処理装置から取得した上記推奨コンテンツの中から選択された最もおすすめのコンテンツを示す情報を含む推奨コンテンツリストを生成し、
生成された上記推奨コンテンツリストに含まれる最もおすすめのコンテンツが無料コンテンツである割合は、ある期間において、所定の割合以上であり、
生成した推奨コンテンツリストの少なくとも一部を、上記表示部に表示する
ことを特徴とする情報処理システム。
【請求項９】
情報処理方法であって、
有料コンテンツ及び無料コンテンツから選択された推奨コンテンツを示す情報と、
上記推奨コンテンツの中から選択された最もおすすめのコンテンツを示す情報と、
を含む推奨コンテンツリストを生成し、
生成された上記推奨コンテンツリストに含まれる最もおすすめのコンテンツが無料コンテンツである割合は、ある期間において、所定の割合以上である
ことを特徴とする情報処理方法。
【請求項１０】
請求項１に記載の情報処理装置としてコンピュータを機能させるためのプログラムであって、上記制御部としてコンピュータを機能させるためのプログラム。
【発明の詳細な説明】
【技術分野】
【０００１】
本発明は、情報処理装置、情報処理システム、情報処理方法、及びプログラムに関する。
【背景技術】
【０００２】
従来、ユーザの視聴履歴を記録し、視聴履歴からユーザがよく見るテレビ番組、よく見るジャンルのテレビ番組、よくテレビを見る時間のテレビ番組を優先的に提示する番組表を作成する技術が知られている（例えば、特許文献１参照）。
【先行技術文献】
【特許文献】
【０００３】
【特許文献１】特開２００１−２２３９５９号公報（２００１年８月１７日公開）
【発明の概要】
【発明が解決しようとする課題】
【０００４】
上述のような従来技術では、有料コンテンツと、無料コンテンツとが、混在して推奨される。このように、有料コンテンツと、無料コンテンツとが混在して推奨された場合には、ユーザは、有料コンテンツばかりが推奨されるという印象を抱きやすい。その結果、コンテンツの推奨機能を使おうとするユーザのモチベーションが失われてしまうことがある。
【０００５】
本発明の一態様は、上述した事情に鑑みてなされたものであり、コンテンツの推奨機能を使おうとするユーザのモチベーションを低減することなく、ユーザにコンテンツを推奨することができる技術を提供することを目的とする。
【課題を解決するための手段】
【０００６】
上記の課題を解決するために、本発明の一態様に係る情報処理装置は、記憶部と制御部とを備えている情報処理装置であって、上記制御部は、上記記憶部が記憶するコンテンツ関連情報と視聴履歴情報とに基づいて、有料コンテンツ及び無料コンテンツから選択された推奨コンテンツを示す情報と、上記推奨コンテンツの中から選択された最もおすすめのコンテンツを示す情報と、を含む推奨コンテンツリストを生成し、生成された上記推奨コンテンツリストに含まれる最もおすすめのコンテンツが無料コンテンツである割合は、ある期間において、所定の割合以上である構成である。
【０００７】
上記の課題を解決するために、本発明の一態様に係る情報処理システムは、情報処理装置と、表示装置と備えている情報処理システムであって、上記情報処理装置は、第１の通信部と第１の記憶部と第１の制御部とを備え、上記第１の制御部は、上記第１の記憶部が記憶するコンテンツ関連情報と視聴履歴情報とに基づいて、有料コンテンツ及び無料コンテンツから選択された推奨コンテンツを示す情報を含む推奨コンテンツリストを生成し、生成された推奨コンテンツリストを上記第１の通信部を介して上記表示装置に送信し、上記表示装置は、第２の通信部と第２の制御部と表示部とを備え、上記第２の制御部は、上記情報処理装置から取得した上記推奨コンテンツの中から選択された最もおすすめのコンテンツを示す情報を含む推奨コンテンツリストを生成し、生成された上記推奨コンテンツリストに含まれる最もおすすめのコンテンツが無料コンテンツである割合は、ある期間において、所定の割合以上であり、生成した推奨コンテンツリストの少なくとも一部を、上記表示部に表示する構成である。
【０００８】
上記の課題を解決するために、本発明の一態様に係る情報処理方法は、有料コンテンツ及び無料コンテンツから選択された推奨コンテンツを示す情報と、上記推奨コンテンツの中から選択された最もおすすめのコンテンツを示す情報と、を含む推奨コンテンツリストを生成し、生成された上記推奨コンテンツリストに含まれる最もおすすめのコンテンツが無料コンテンツである割合は、ある期間において、所定の割合以上である方法である。
【発明の効果】
【０００９】
本発明の一態様によれば、コンテンツの推奨機能を使おうとするユーザのモチベーションを低減することなく、ユーザにコンテンツを推奨することができる。
【図面の簡単な説明】
【００１０】
【図１】実施形態１に係る情報処理システムの要部構成を示すブロック図である。
【図２】（ａ）は、コンテンツ関連情報テーブルの一例を示す図であり、（ｂ）は、コンテンツ関連情報テーブルの別の例を示す図である。
【図３】視聴履歴テーブルの一例を示す図である。
【図４】（ａ）は、視聴頻度に関する情報を含むテーブルの一例を示す図であり、（ｂ）は、視聴履歴に基づく優先度に関する情報を含むテーブルの一例を示す図である。
【図５】推奨コンテンツリストの一例を示す図である。
【図６】情報処理システムの処理の流れを示すシーケンス図である。
【図７】推奨コンテンツのリストをソートする処理の流れを示すフローチャートである。
【図８】実施形態２に係る情報処理システムの概略構成を示すブロック図である。
【図９】実施形態２に係る情報処理システムの処理の流れを示すシーケンス図である。
【図１０】表示装置または情報処理装置として利用可能なコンピュータの構成を例示したブロック図である。
【発明を実施するための形態】
【００１１】
〔実施形態１〕
以下、本発明の実施形態１に係る情報処理装置１について、詳細に説明する。なお、以下の実施形態に記載されている構成は、特に特定的な記載がない限り、この発明の範囲をそれのみに限定する趣旨ではなく、単なる説明例に過ぎない。図１は、情報処理装置１を含む情報処理システム１００の要部構成を示すブロック図である。
【００１２】
情報処理システム１００は、情報処理装置１と、表示装置５０と、を含んでいる。情報処理システム１００は、情報処理装置１および表示装置５０をそれぞれ１つまたは複数含んでいる構成であってもよい。
【００１３】
情報処理装置１は、各種のコンテンツを配信するサーバであり、表示装置５０とインターネット等のネットワークを介して接続されている。情報処理装置１は、推奨コンテンツリストを生成して対象の表示装置５０に配信する。また、情報処理装置１は、表示装置５０からのコンテンツ配信要求を受信して、対象の表示装置５０に、要求に応じたコンテンツを配信する。なお、情報処理装置１は、推奨コンテンツリストを配信する機能があれば、コンテンツ配信機能はなくてもよい。
【００１４】
（情報処理装置１の構成）
情報処理装置１は、サーバ制御部１０、サーバ通信部２０、及びサーバ記憶部３０を含んでいる。情報処理装置１は、推奨コンテンツリストを生成して対象の表示装置５０に配信するサーバであり、かつ、コンテンツ配信契約を結んでいる表示装置５０からコンテンツ配信要求を受信して、配信要求を送信した対象の表示装置５０にのみ、要求されたコンテンツを送信するＶｏＤ（Video on Demand）、音楽配信サービス、クラウドゲームサービス等のサービスを提供するサーバである。
【００１５】
サーバ制御部１０は、情報処理装置１の各部を統括的に制御する機能を備えている演算装置である。
【００１６】
サーバ通信部２０は、無線通信または有線通信によって、インターネット等のネットワークに接続可能に構成され、ネットワークを介して表示装置５０に接続される。
【００１７】
サーバ記憶部３０は、情報処理装置１で用いられる種々のデータを格納するストレージである。サーバ記憶部３０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。
【００１８】
（サーバ制御部１０の構成）
サーバ制御部１０は、コンテンツ配信部１１と、推奨コンテンツリスト生成部１２と、を含んでいる。
【００１９】
コンテンツ配信部１１は、サーバ通信部２０を介して表示装置５０からコンテンツの配信要求を受信すると、当該要求に応じたコンテンツを特定する。コンテンツ配信部１１は、例えば、コンテンツの配信要求に含まれているコンテンツのタイトルやコンテンツのＩＤ等のコンテンツを特定するための情報に基づいてコンテンツを特定する。コンテンツ配信部１１は、特定したコンテンツをサーバ記憶部３０から選択し、当該コンテンツをサーバ通信部２０を介して対象の表示装置５０に送信する。
【００２０】
なお、表示装置５０から送信されるコンテンツの配信要求には、表示装置５０を特定するための機器ＩＤや配信契約ＩＤ等の情報が含まれている。コンテンツ配信部１１は、表示装置５０から受信した、表示装置５０を特定するための情報に基づいて、配信要求に応じたコンテンツを、対象の表示装置５０に、サーバ通信部２０を介して送信する。
【００２１】
推奨コンテンツリスト生成部１２は、配信可能なコンテンツの中から、各表示装置５０に対応付けられたユーザに視聴を推奨するコンテンツを特定するためのコンテンツ特定情報（例えば、コンテンツのタイトルや、コンテンツＩＤ等の情報）を含むリストを作成する。
【００２２】
推奨コンテンツリスト生成部１２は、表示装置５０の視聴履歴に基づいて推奨コンテンツリストを生成してもよい。また、推奨コンテンツリスト生成部１２は、提供側からお薦めしたいコンテンツに関するコンテンツ特定情報を含む推奨コンテンツリストを生成してもよい。なお、以下の説明において、コンテンツに含まれるコンテンツ特定情報を、単にコンテンツとも表示する。
【００２３】
配信可能なコンテンツには、有料のコンテンンツと、無料のコンテンツとがあり、推奨コンテンツリスト生成部１２は、有料コンテンツ及び無料コンテンツから選択された推奨コンテンツを示す情報と、推奨コンテンツの中から選択された最もおすすめのコンテンツを示す情報と、を含む推奨コンテンツリストを生成する。
【００２４】
サーバ制御部１０は、推奨コンテンツリスト生成部１２の機能によって生成した推奨コンテンツリストを、サーバ通信部２０を介して対象の表示装置５０に送信する。
【００２５】
また、サーバ制御部１０は、推奨コンテンツリスト生成部１２の機能によって生成した推奨コンテンツリストにおける最もおすすめのコンテンツを含む通知を、サーバ通信部２０を介して対象の表示装置５０に送信してもよい。表示装置５０がスマートフォンである構成では、サーバ制御部１０は、プッシュ配信によって推奨コンテンツリストにおける最もおすすめのコンテンツを含む通知を、サーバ通信部２０を介して対象の表示装置５０に送信してもよい。
【００２６】
（サーバ記憶部３０に記憶されている情報の例）
サーバ記憶部３０には、コンテンツ３１を格納するコンテンツ格納部と、コンテンツ関連情報３２を格納するコンテンツ関連情報格納部と、が含まれている。コンテンツ格納部には、配信可能なコンテンツ３１のそれぞれのデータが格納されている。コンテンツ関連情報格納部には、配信可能なコンテンツ３１のそれぞれに関するコンテンツ関連情報３２が含まれている。
【００２７】
図２の（ａ）は、コンテンツ関連情報格納部に格納されているコンテンツ関連情報テーブルの一例を示す図である。コンテンツ関連情報テーブルには、例えば、図２の（ａ）に示すように、コンテンツの名称（タイトル）、出演者、無料であるのか、有料であるのか、及び有料である場合には料金はいくらであるのか等の情報が含まれている。
【００２８】
図２の（ｂ）は、コンテンツ関連情報テーブルの別の例を示す図である。コンテンツ関連情報テーブルには、例えば、図２の（ｂ）に示すように、放送波を介して表示装置５０が受信可能な番組のコンテンツに関連する情報が含まれていてもよい。放送番組のコンテンツに関する情報を含むコンテンツ関連情報テーブルには、コンテンツの名称（タイトルやジャンル）、出演者、放送局、放送日時等の情報が含まれている。
【００２９】
（表示装置５０の構成）
表示装置５０は、放送波を受信する放送波受信部７５（チューナ）を備えたテレビジョン受像器や、スマートフォンである。
【００３０】
表示装置５０は、制御部６０、通信部７０、放送波受信部７５、表示部８０、入力部８５、及び記憶部９０を備えている。
【００３１】
制御部６０は、表示装置５０の各部を統括的に制御する機能を備えている演算装置である。
【００３２】
通信部７０は、無線通信または有線通信によって、インターネット等のネットワークに接続可能に構成され、ネットワークを介して情報処理装置１に接続される。
【００３３】
放送波受信部７５は、テレビチューナであり、放送波を受信する。
【００３４】
表示部８０は、例えば、液晶ディスプレイ、有機ＥＬ（Electro Luminescence）ディスプレイ（ＯＬＥＤ）、及びプラズマディスプレイ等のディスプレイデバイスである。表示部８０は、例えばＨＤＭＩ（登録商標）のような、外部の表示装置に映像信号を出力するインターフェースであってもよい。
【００３５】
入力部８５は、不図示のリモコンやタッチパネルなどの入力操作部を介して行われるユーザ操作に応じた入力を受け付ける。入力部８５は、ユーザが、例えば表示部８０に表示されている情報などを確認して行った表示装置５０に対するコンテンツ要求等の種々の指示の入力を受け付けることができる。
【００３６】
記憶部９０は、表示装置５０で用いられる種々のデータを格納するストレージである。記憶部９０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。
【００３７】
（制御部６０の構成）
制御部６０は、表示制御部６１、視聴履歴記録部６２、及び視聴履歴送信部６３を備えている。
【００３８】
表示制御部６１は、放送波受信部７５を介して受信した情報、及び通信部７０を介して情報処理装置１等のコンテンツ提供サーバから取得した情報の少なくとも何れか一方に基づいて表示部８０に表示する表示情報を生成し、生成した表示情報を表示部８０に表示する。
【００３９】
視聴履歴記録部６２は、表示装置５０においてユーザが視聴したテレビ番組のコンテンツ、及びコンテンツ提供サーバから提供された映像のコンテンツの履歴を記憶部９０に記録する。
【００４０】
視聴履歴送信部６３は、視聴履歴記録部６２の機能により記憶部９０に記録された視聴履歴を、通信部７０を介して情報処理装置１に送信する。
【００４１】
（記憶部９０に記憶されている情報の例）
図３は、記憶部９０の視聴履歴（視聴履歴格納部）９１に含まれている視聴履歴テーブルの一例を示す図である。
【００４２】
図３に示すように、視聴履歴テーブルには、例えば、コンテンツを視聴した日時に関する情報、視聴したコンテンツの名称、視聴したコンテンツの配信元に関する情報が含まれている。視聴履歴テーブルには、所定の視聴件数分（例えば直近１０００件等）の視聴履歴に関する情報が含まれていても良しい、所定の日数分（例えば直近６０日等）の視聴履歴に関する情報が含まれていても良い。
【００４３】
（推奨コンテンツリスト生成部１２の機能について）
図４の（ａ）は、推奨コンテンツリスト生成部１２が、ユーザの表示装置５０における視聴履歴に基づいて生成する視聴頻度に関する情報を含むテーブルの一例を示している。図４の（ｂ）は、推奨コンテンツリスト生成部１２が、ユーザの表示装置５０における視聴履歴に基づいて生成する所定の日時に提供可能なコンテンツの優先度に関する情報を含むテーブルの一例を示している。
【００４４】
図４の（ａ）に示すように、推奨コンテンツリスト生成部１２は、表示装置５０から提供される視聴履歴（図３参照）と、コンテンツ関連情報格納部に記憶されているコンテンツ関連情報３２（図２参照）とを参照して視聴頻度に関する情報を生成する。サーバ制御部１０は、サーバ通信部２０を介して、表示装置２５０から視聴履歴９１を受信すると、受信した視聴履歴を、視聴履歴情報として、一旦サーバ記憶部３０に記憶する。推奨コンテンツリスト生成部１２は、サーバ記憶部３０に記憶しているコンテンツ関連情報と、視聴履歴情報とに基づいて、ユーザが視聴しているコンテンツの出演者に基づいた視聴頻度に関する情報を生成してもよい。推奨コンテンツリスト生成部１２は、ユーザが視聴しているコンテンツに出演している頻度が高い出演者ほど、高いポイントが付されるように、各出演者に視聴頻度ポイントを付す。
【００４５】
また、図４の（ｂ）に示すように、推奨コンテンツリスト生成部１２は、出演者に基づいた視聴頻度に関する情報と、コンテンツ関連情報とを参照して、ある期間において、ユーザが視聴可能なコンテンツのコンテンツ特定情報に優先度ポイントを付した情報を含むテーブルを生成する。
【００４６】
推奨コンテンツリスト生成部１２は、図４の（ａ）に示した視聴頻度から、俳優Ｐ、俳優Ｑ、俳優Ｒの順で、これらの俳優が出演しているコンテンツをユーザが視聴する傾向があることを特定する。そして、推奨コンテンツリスト生成部１２は、例えば、月曜日の２１：００に視聴可能なコンテンツに関する推奨コンテンツリストを生成する場合、コンテンツ関連情報テーブルを参照してユーザが月曜日に視聴可能なコンテンツを特定し、特定された各コンテンツに出演している出演者毎に付されたポイントを合算して、各コンテンツに付される優先度ポイントを生成する。
【００４７】
例えば、映画Ｉには、視聴頻度ポイントが３ポイントの俳優Ｐと、視聴頻度ポイントが２ポイントの俳優Ｑとが出演しているため、５ポイントの優先度ポイントが付される。また、映画ＩＩには、視聴頻度ポイントが３ポイントの俳優Ｐと、視聴頻度ポイントが２ポイントの俳優Ｑと、視聴頻度ポイントが１ポイントの俳優Ｒと、が出演しているため、６ポイントの優先度ポイントが付される。また、月曜日の２１：００に視聴可能なコンテンツであるバラエティＤには、視聴頻度ポイントが付されている出演者が出演していないため、０ポイントの優先度ポイントが付される。
【００４８】
このように、推奨コンテンツリスト生成部１２は、ユーザの視聴履歴に基づく、出演者毎の視聴頻度ポイントに応じて、ある期間において視聴可能なコンテンツについて、視聴を推奨する優先度に関する情報を生成してもよい。また、図示は省略するが、推奨コンテンツリスト生成部１２は、ユーザの出演者毎の視聴頻度に限らず、ジャンルや、監督、制作会社等に応じた視聴頻度に関する情報に基づいて視聴を推奨する優先度に関する情報を生成してもよい。
【００４９】
さらに、推奨コンテンツリスト生成部１２は、同じコンテンツであっても、有料のものと、例えばＣＭが入るため無料のものとがある場合には、無料のコンテンツの優先度を上げる構成であってもよい。図５に示した例では、映画Ｖについて、無料のコンテンツと、有料のコンテンツがある場合には、無料コンテンツの順位を上げる。なお、推奨コンテンツリスト生成部１２は、有料コンテンツの直上位に、当該有料コンテンツに関連する無料コンテンツを配置してもよい。また、推奨コンテンツリスト生成部１２は、各コンテンツの優先度ポイントに応じて、所定の無料コンテンツと、当該無料コンテンツに関連する有料コンテンツとの間に他のコンテンツを挿入してもよい。
【００５０】
また、推奨コンテンツリスト生成部１２は、ある期間（例えば、コンテンツ無料開放サービス期間中）において特別に無料となっているコンテンツがある場合には、当該コンテンツの優先度を上げる構成であってもよい。推奨コンテンツリスト生成部１２は、限られた期間において無料になっている、いつもは有料のコンテンツの優先度を、常に無料のコンテンツよりも上位に配置する構成であってもよい。
【００５１】
また、推奨コンテンツリスト生成部１２は、コンテンツ提供側の意向で優先度を上げるように設定されているコンテンツの優先度を上げることができる構成であってもよい。
【００５２】
図５は、ユーザに提供される推奨コンテンツリストを示す図である。推奨コンテンツリスト生成部１２は、所定の日時に視聴可能なコンテンツのそれぞれの優先度ポイントと、料金とを参照して、推奨コンテンツリストを生成する。推奨コンテンツリスト生成部１２は、生成された推奨コンテンツリストに含まれる最もおすすめのコンテンツが無料コンテンツである割合が、ある期間において、所定の割合以上である推奨コンテンツリストを生成する。
【００５３】
また、推奨コンテンツリスト生成部１２は、推奨コンテンツリストに含まれる最もおすすめのコンテンツを、期間によらず、必ず無料コンテンツとする構成であってもよい。
【００５４】
図４の（ｂ）及び図５に示した例では、無料コンテンツのうち、優先度ポイントが最も高い映画Ｖが推奨コンテンツリストにおいて、最もおすすめのコンテンツとされる。
【００５５】
また、推奨コンテンツリスト生成部１２は、推奨コンテンツリストの対象範囲において、推奨コンテンツリストに含まれるコンテンツの半数以上は必ず無料でユーザに提供される無料コンテンツとする。
【００５６】
図４の（ｂ）及び図５に示した例では、所定の日時に視聴可能なコンテンツのうち、無料コンテンツは３つであり、それに対して、優先度ポイントの高い上位４つのコンテンツは有料である。このような場合には、推奨コンテンツリストに含まれるコンテンツの半数以上は必ず無料コンテンツとなるように、推奨コンテンツリスト生成部１２は、無料コンテンツより少ない数の有料コンテンツが推奨コンテンツリストに含まれるように、有料コンテンツを、優先度ポイントが低い順に、映画ＩＶ、映画Ｉ、及び映画ＩＩＩを、リストから削除する。
【００５７】
また、例えば、推奨コンテンツリスト生成部１２は、推奨順位１位〜４０位までの推奨コンテンツを含む推奨コンテンツリストを生成する場合には、対象範囲を上位１位〜１０位までとして、この対象範囲において半数以上は必ず無料コンテンツとする構成であってもよい。そして、対象範囲は、上位１位〜１０位に限らず、上位１位〜２０位や、その他の範囲であってもよい。
【００５８】
さらに、推奨コンテンツリスト生成部１２は、推奨コンテンツを表示する順序を示す情報を含む推奨コンテンツリストを生成する。また、推奨コンテンツリスト生成部１２は、生成した推奨コンテンツリストが対象範囲において、有料コンテンツが２つ以上連続しないように、推奨コンテンツを表示する順序決定する。
【００５９】
推奨コンテンツリスト生成部１２は、図４の（ｂ）に示した優先度ポイントに関する情報を含むリストにおいては、料金が無料であり、且つ優先度ポイントが最も高い映画Ｖを表示する順序の１番とする推奨コンテンツリスト生成する。
【００６０】
なお、推奨コンテンツリスト生成部１２は、優先度ポイントが高いコンテンツであっても、その料金に応じて推奨コンテンツとしてリストに含めるのを控えることができる構成であってもよい。例えば、推奨コンテンツリスト生成部１２は、なるべく安価なものの優先度が上位となるように、コンテンツの料金に応じて表示する順序を変えてもよい。
【００６１】
また、推奨コンテンツリスト生成部１２は、ユーザの視聴履歴に基づいて、ユーザが有料コンテンツを多く見る傾向にある場合には、推奨コンテンツリストに含める有料コンテンツの割合を増やすことができてもよい。また、推奨コンテンツリスト生成部１２は、ユーザの視聴履歴に基づいて、ユーザが有料コンテンツを多く見る傾向にある場合には、有料コンテンツを表示する順序を無料コンテンツより下げることなく推奨コンテンツリストを生成することができてもよい。
【００６２】
また、推奨コンテンツリスト生成部１２は、ユーザの視聴履歴に含まれているコンテンツを、推奨コンテンツリストに含めないようにする構成であってもよい。
【００６３】
例えば、ユーザは、情報処理装置１に対して予め会員登録を行うことにより、情報処理装置１から推奨コンテンツリストの提供を受けることができる。また、ユーザは、情報処理装置１に対して予め会員登録を行うことにより、情報処理装置１からコンテンツの提供も受けることができる構成であってもよい。また、会員登録には、有料コンテンツの配信を望む有料会員と、有料コンテンツの配信を望まない無料会員とがあり、情報処理装置１は、これらのユーザの属性に応じたサービスをユーザに提供することができてもよい。
【００６４】
推奨コンテンツリスト生成部１２は、推奨コンテンツリストを提供するユーザのユーザ属性が有料会員であるか、無料会員であるか等のユーザ属性に応じて、推奨コンテンツリストの対象範囲に含まれる有料コンテンツの数を変化させることができてもよい。例えば、ユーザ属性が有料会員である場合には、ユーザが有料コンテンツの視聴を望んでいることがわかるため、推奨コンテンツリスト生成部１２は、有料コンテンツを多く含む推奨コンテンツリストを生成してもよい。そして、ユーザ属性が無料会員である場合には、ユーザが有料コンテンツの視聴を望んでいないことがわかるため、推奨コンテンツリスト生成部１２は、無料コンテンツを多く含む、または有料コンテンツを含まない推奨コンテンツリストを生成してもよい。
【００６５】
また、ユーザ属性は、ユーザが有料会員であるのか無料会員であるのかに限らず、例えば、ユーザに対応付けて登録されている表示装置５０がテレビジョン受像機であるのか、それともスマートフォンであるのかであってもよい。また、ユーザ属性は、ユーザのコンテンツ配信サービスの使用頻度であってもよい。そして、推奨コンテンツリスト生成部１２は、種々なユーザ属性に応じた推奨コンテンツリストを生成することができてもよい。
【００６６】
なお、本実施形態では、情報処理装置１の推奨コンテンツリスト生成部１２が、コンテンツが有料か、無料かに応じて推奨順位を並び変える構成について説明した。しかしながら、これに限らず、表示装置５０の制御部６０が、ユーザの視聴履歴と、情報処理装置１から受信したコンテンツ関連情報と、を参照して、推奨コンテンツリストの推奨順位を並び変えてユーザにリストを提供する構成であってもよい。
【００６７】
（情報処理システム１００の処理の流れ）
図６は、表示装置５０と、情報処理装置１との間での処理の流れを示すシーケンス図である。
【００６８】
（ステップＳ１）
ユーザ操作によって、入力部８５にコンテンツの配信要求に関する入力が行われると、表示装置５０の制御部６０は、通信部７０を介してコンテンツ配信要求を情報処理装置１に送信する。
【００６９】
（ステップＳ２）
情報処理装置１のサーバ制御部１０は、サーバ通信部２０を介して、コンテンツ配信要求を受信する。なお、コンテンツ配信要求には、対象の表示装置５０を特定するための機器ＩＤやユーザＩＤ等の情報が含まれている。
【００７０】
（ステップＳ３）
サーバ制御部１０は、コンテンツ配信部１１の機能により、サーバ通信部２０を介して、対象の表示装置５０に、提供可能なコンテンツを送信する。
【００７１】
（ステップＳ４）
表示装置５０の制御部６０は、通信部７０を介して情報処理装置１から送信されたコンテンツを受信する。
【００７２】
（ステップＳ５）
表示装置５０の制御部６０は、視聴履歴送信部６３の機能により記憶部９０に記憶したユーザの視聴履歴を通信部７０を介して情報処理装置１に送信する。
【００７３】
（ステップＳ６）
情報処理装置１のサーバ制御部１０は、サーバ通信部２０を介して、表示装置５０から視聴履歴を受信する。
【００７４】
（ステップＳ７）
情報処理装置１のサーバ制御部１０は、推奨コンテンツリスト生成部１２の機能により、表示装置５０におけるユーザの視聴履歴と、サーバ記憶部３０に記憶しているコンテンツ関連情報とを参照して、推奨コンテンツリストを生成する。サーバ制御部１０は、生成された推奨コンテンツリストをサーバ通信部２０を介して対象の表示装置５０に送信する。
【００７５】
（ステップＳ８）
表示装置５０の制御部６０は、通信部７０を介して情報処理装置１から送信された推奨コンテンツリストを受信する。
【００７６】
（ステップＳ９）
表示装置５０の制御部６０は、表示制御部６１の機能により、推奨コンテンツリストを表示部８０に表示する。
【００７７】
なお、表示装置５０の制御部６０は、コンテンツの配信要求を、例えば１日に１度、所定の時間に行ってもよく、表示装置５０の制御部６０は、コンテンツの配信要求を送る際に、視聴履歴を情報処理装置１に送信する構成であってもよい。また、ユーザによる推奨コンテンツリスト表示の操作に応じて、表示装置５０の制御部６０が、視聴履歴を情報処理装置１に送信する構成であってもよい。
【００７８】
また、情報処理装置１は、表示装置５０からの要求に応じて推奨コンテンツリストを表示装置５０に送信する構成であってもよいし、予め設定された所定のタイミングで、推奨コンテンツリストを表示装置５０に送信する構成であってもよい。また、表示装置５０の制御部６０は、ユーザ操作に応じて送信した視聴履歴に基づく推奨コンテンツリストを、情報処理装置１から受信して、受信した推奨コンテンツリストに基づく情報を表示部８０に表示する構成であってもよい。
【００７９】
（推奨コンテンツのリストをソートする処理の流れについて）
図７は、推奨コンテンツのリストをソートする処理の流れを示すフローチャートである。なお、以下の説明では、情報処理装置１のサーバ制御部１０が、推奨コンテンツリスト生成部１２の機能によって推奨コンテンツのリストをソートする場合の処理の流れについて説明する。しかしながら、これに限らず、推奨コンテンツのリストをソートする処理の少なくとも一部を表示装置５０の制御部６０が行う構成であってもよい。
【００８０】
（ステップＳ１１）
情報処理装置１のサーバ制御部１０は、推奨コンテンツリスト生成部１２の機能によって推奨コンテンツとしてリストされたコンテンツの半数以上が無料コンテンツであるか否かを判定する。推奨コンテンツリスト生成部１２は、推奨コンテンツとしてリストされたコンテンツの半数以上が無料コンテンツであると判定すると（ステップＳ１１でＹＥＳ）、ステップＳ１４に進む。推奨コンテンツリスト生成部１２は、推奨コンテンツとしてリストされたコンテンツの半数以上が無料コンテンツではないと判定すると（ステップＳ１１でＮＯ）、ステップＳ１２に進む。
【００８１】
（ステップＳ１２）
推奨コンテンツリスト生成部１２は、推奨コンテンツとしてリストされたコンテンツの半数以上が無料コンテンツとなるように、推奨コンテンツとしてリストされた有料コンテンツを優先度ポイントの低い順に下から削除する。
【００８２】
（ステップＳ１３）
推奨コンテンツリスト生成部１２は、ステップＳ１２でリストから削除した有料コンテンツの数だけ、無料コンテンツを推奨コンテンツに追加する。
【００８３】
（ステップＳ１４）
推奨コンテンツリスト生成部１２は、推奨コンテンツの最上位にリストされたコンテンツが無料のコンテンツであるか否かを判定する。推奨コンテンツリスト生成部１２は、推奨コンテンツの最上位にリストされたコンテンツが無料のコンテンツであると判定すると（ステップＳ１４でＹＥＳ）、ステップＳ１６に進む。推奨コンテンツリスト生成部１２は、推奨コンテンツの最上位にリストされたコンテンツが無料のコンテンツではないと判定すると（ステップＳ１４でＮＯ）、ステップＳ１５に進む。
【００８４】
（ステップＳ１５）
推奨コンテンツリスト生成部１２は、優先度ポイントの最も高い無料コンテンツを推奨コンテンツのリストの先頭に移動させる。
【００８５】
（ステップＳ１６）
推奨コンテンツリスト生成部１２は、推奨コンテンツのリスト順に、有料コンテンツが２つ以上連続している部分があるか否かを判定する。推奨コンテンツリスト生成部１２は、有料コンテンツが２つ以上連続している部分があると判定すると（ステップＳ１６でＹＥＳ）、ステップＳ１７に進む。推奨コンテンツリスト生成部１２は、有料コンテンツが２つ以上連続している部分がないと判定すると（ステップＳ１６でＮＯ）、処理を終了する。
【００８６】
（ステップＳ１７）
推奨コンテンツリスト生成部１２は、有料コンテンツが連続している部分の直下にリストされている無料コンテンツを、連続している有料コンテンツの間に挿入する。
【００８７】
このように、ユーザに提供される推奨コンテンツリストは、推奨されるコンテンツの半数以上が無料コンテンツであり、推奨順位１位のコンテンツが無料コンテンツであり、且つ、有料コンテンツが２つ以上連続して部分ないリストとなる。よって、ユーザは、提示された推奨コンテンツリストを見た場合に、有料コンテンツばかりが推奨されるという印象を抱きにくい。よって、コンテンツの推奨機能を使おうとするユーザのモチベーションを低減することなく、ユーザにコンテンツを推奨することができる。
【００８８】
また、表示装置５０が、情報処理装置１から取得した推奨コンテンツリストに含まれる各コンテンツ情報を並び替えてもよい。表示装置５０の制御部６０は、情報処理装置１から取得した推奨コンテンツリストに含まれる各コンテンツ情報を並び替えて、最もおすすめのコンテンツが、ある期間において、所定の割合以上、無料コンテンツであるような推奨コンテンツリストを生成する。そして、表示装置５０の制御部６０は、表示制御部６１の機能により、生成した推奨コンテンツリストを、表示部８０に表示する。表示制御部６１は、例えば、推奨順位１位〜４０位までの推奨コンテンツを含む推奨コンテンツリストを生成し、生成した推奨コンテンツリストの推奨順位１位〜１０位までや、推奨順位１位のみといった、推奨コンテンツリストの少なくとも一部を表示部８０に表示してもよい。
【００８９】
〔実施形態２〕
本発明の実施形態２について、以下に説明する。なお、説明の便宜上、上記実施形態１にて説明した部材と同じ機能を有する部材については、同じ符号を付記し、その説明を繰り返さない。
【００９０】
図８は、実施形態２に係る情報処理システム２００の概略構成を示すブロック図である。情報処理システム２００は、情報処理装置１と、表示装置２５０と、端末装置２１０とを含んでいる。
【００９１】
表示装置２５０は、放送波を受信する放送波受信部７５（チューナ）を備えたテレビジョン受像器である。なお、表示装置２５０は、入力部８５の代わりに、遠隔操作信号受信部２８５を備えている以外の構成は、実施形態１の表示装置５０と同様である。
【００９２】
遠隔操作信号受信部２８５は、Ｗｉ−Ｆｉ（登録商標）、赤外線通信、Ｂｌｕｅｔｏｏｔｈ（登録商標）等の無線通信を介して端末装置２１０から送信される遠隔操作信号を受信する。表示装置２５０の制御部６０は、遠隔操作信号受信部２８５を介して受信した操作信号に応じて、表示装置２５０の各部を制御し、情報処理装置１、及び端末装置２１０と通信する。
【００９３】
端末装置２１０は、スマートフォン等の携帯型の端末である。端末装置２１０は、表示装置２５０を操作する所謂リモートコントローラとして用いることができる。端末装置２１０は、端末制御部２２０、端末通信部２３０、端末表示部２３５、遠隔操作信号送信部２４０、及び端末記憶部２４５を含んでいる。
【００９４】
端末制御部２２０は、端末装置２１０の各部を統括的に制御する機能を備えている演算装置である。
【００９５】
端末制御部２２０は、表示制御部２２１を備えている。表示制御部２２１は、端末表示部２３５に表示する表示情報を生成し、生成した表示情報を端末表示部２３５に表示する。
【００９６】
端末通信部２３０は、無線通信または有線通信によって、インターネット等のネットワークに接続可能に構成され、ネットワークを介して情報処理装置１、及び表示装置２５０に接続される。
【００９７】
端末表示部２３５は、例えば、液晶ディスプレイ、有機ＥＬ（Electro Luminescence）ディスプレイ（ＯＬＥＤ）、及びプラズマディスプレイ等のディスプレイデバイスである。端末表示部２３５は、タッチパネルとして構成されていてもよい。
【００９８】
遠隔操作信号送信部２４０は、Ｗｉ−Ｆｉ（登録商標）、赤外線通信、Ｂｌｕｅｔｏｏｔｈ（登録商標）等の無線通信を介して表示装置２５０にユーザ操作に応じた遠隔操作信号を送信する。
【００９９】
端末記憶部２４５は、端末装置２１０で用いられる種々のデータを格納するストレージである。端末記憶部２４５は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。
【０１００】
情報処理システム２００では、ユーザは、端末装置２１０に対する操作で、情報処理装置１から提供されるコンテンツを表示装置２５０の表示部８０に表示させることができる。また、情報処理装置１から送信される推奨コンテンツリストは、端末装置２１０の端末表示部２３５に表示することができる。そして、ユーザは、端末表示部２３５に表示された推奨コンテンツリストから、視聴するコンテンツを選択する操作を行う。これにより、ユーザによって推奨コンテンツリストから選択されたコンテンツが表示装置２５０の表示部８０に表示される。
【０１０１】
（情報処理システム２００の処理の流れについて）
図９は、情報処理システム２００の処理の流れを示すシーケンス図である。
【０１０２】
（ステップＳ２１）
ユーザが端末装置２１０に対して操作を行うと、遠隔操作信号送信部２４０がユーザ操作に応じた操作信号であるリモコン信号を、表示装置２５０に送信する。
【０１０３】
（ステップＳ２２）
表示装置２５０の遠隔操作信号受信部２８５は、端末装置２１０からリモコン信号を受信する。
【０１０４】
（ステップＳ２３）
表示装置２５０の制御部６０は、通信部７０を介して、情報処理装置１にコンテンツ配信要求を送信する。
【０１０５】
（ステップＳ２４）
情報処理装置１のサーバ制御部１０は、サーバ通信部２０を介してコンテンツ配信要求を受信する。
【０１０６】
（ステップＳ２５）
情報処理装置１のサーバ制御部１０は、受信したコンテンツ配信要求に応じて、コンテンツ配信部１１の機能により、サーバ記憶部３０に記憶しているコンテンツ３１を、サーバ通信部２０を介して対象の表示装置２５０に送信する。
【０１０７】
（ステップＳ２６）
表示装置２５０の制御部６０は、通信部７０を介してコンテンツを受信する。
【０１０８】
（ステップＳ２７）
表示装置２５０の制御部６０は、視聴履歴送信部６３の機能により、記憶部９０に記憶している視聴履歴９１を、通信部７０を介して情報処理装置１に送信する。
【０１０９】
（ステップＳ２８）
情報処理装置１のサーバ制御部１０は、サーバ通信部２０を介して視聴履歴を受信する。
【０１１０】
（ステップＳ２９）
情報処理装置１のサーバ制御部１０は、推奨コンテンツリスト生成部１２の機能により、推奨コンテンツリストを生成して、生成した推奨コンテンツリストを、サーバ通信部２０を介して対象の表示装置２５０、及び端末装置２１０に送信する。
【０１１１】
なお、本実施形態では、情報処理装置１が推奨コンテンツリストを表示装置２５０、及び端末装置２１０に送信する構成について説明しているが、これに限られるものではない。情報処理装置１は、推奨コンテンツリストを、端末装置２１０、又は表示装置２５０のどちらか一方にのみ送信する構成であってもよい。また、情報処理装置１は、推奨コンテンツリストを表示装置２５０に送信し、表示装置２５０が、受信した推奨コンテンツリストを、端末装置２１０に送信する構成であってもよい。また、情報処理装置１は、推奨コンテンツリストを端末装置２１０に送信し、端末装置２１０が、受信した推奨コンテンツリストを、表示装置２５０に送信する構成であってもよい。
【０１１２】
（ステップＳ３０）
端末装置２１０の端末制御部２２０は、端末通信部２３０を介して、推奨コンテンツリストを受信する。
【０１１３】
（ステップＳ３１）
端末装置２１０の端末制御部２２０は、表示制御部２２１の機能により、推奨コンテンツリストを端末表示部２３５に表示する。
【０１１４】
（ステップＳ３２）
表示装置２５０の制御部６０は、通信部７０を介して、推奨コンテンツリストを受信する。
【０１１５】
（ステップＳ３３）
表示装置２５０の制御部６０は、表示制御部６１の機能により、推奨コンテンツリストを表示部８０に表示する。
【０１１６】
これらの構成によれば、表示装置２５０を遠隔操作可能なスマートフォン等の端末装置２１０に推奨コンテンツリストを送信することができる。よって、ユーザは、端末装置２１０において、推奨コンテンツリストに含まれているコンテンツを選択する操作を行うことで、簡単に当該コンテンツを表示装置２５０に表示させることができる。これにより、端末装置２１０にインストールされたアプリケーションから、コンテンツを選択し、当該コンテンツを表示装置２５０の表示部８０に出力して表示することもできる。
【０１１７】
この場合、端末装置２１０において、視聴履歴を記録して、当該視聴履歴を情報処理装置１に送信することで、視聴履歴に応じた推奨コンテンツリストが生成される構成であってもよい。また、情報処理装置１から受信したコンテンツリストと、視聴履歴とに応じて、端末装置２１０が推奨コンテンツリストを生成することができる構成であってもよい。
【０１１８】
また、推奨コンテンツリストは、表示装置２５０における視聴履歴９１だけではなく、端末装置２１０の端末記憶部２４５に記憶されているブックマークの情報を参照して、生成されてもよい。このように、表示装置２５０における視聴履歴９１と、端末装置２１０のブックマークの情報とを参照して生成された推奨コンテンツリストは、端末装置２１０および表示装置２５０の少なくとも何れかの推薦コンテンツリストとして表示されてもよい。
【０１１９】
〔実施形態３〕
上記各実施形態では、１つの情報処理装置１を用いる例を説明したが、情報処理装置１の有する各機能が、個別のサーバにて実現されていてもよい。そして、複数のサーバを適用する場合においては、各サーバは、同じ事業者によって管理されていてもよいし、異なる事業者によって管理されていてもよい。
【０１２０】
〔実施形態４〕
表示装置５０および情報処理装置１の各ブロックは、集積回路（ＩＣチップ）等に形成された論理回路（ハードウェア）によって実現してもよいし、ソフトウェアによって実現してもよい。後者の場合、表示装置５０および情報処理装置１のそれぞれを、図１０に示すようなコンピュータ（電子計算機）を用いて構成することができる。
【０１２１】
図１０は、表示装置５０または情報処理装置１として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１２２】
補助記憶装置９１４には、コンピュータ９１０を表示装置５０または情報処理装置１として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、表示装置５０または情報処理装置１が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１２３】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１２４】
〔まとめ〕
本発明の態様１に係る情報処理装置（１）は、サーバ記憶部（３０）とサーバ制御部（１０）とを備えている情報処理装置（１）であって、上記サーバ制御部（１０）は、上記記憶部（３０）が記憶するコンテンツ関連情報と視聴履歴情報とに基づいて、有料コンテンツ及び無料コンテンツから選択された推奨コンテンツを示す情報と、上記推奨コンテンツの中から選択された最もおすすめのコンテンツを示す情報と、を含む推奨コンテンツリストを生成し、生成された上記推奨コンテンツリストに含まれる最もおすすめのコンテンツが無料コンテンツである割合は、ある期間において、所定の割合以上である構成である。
【０１２５】
上記の構成によれば、推奨コンテンツリストには、所定の割合以上、無料コンテンツが含まれるため、ユーザは、有料コンテンツばかりが推奨されるという印象を抱くことがない。よって、コンテンツの推奨機能を使おうとするユーザのモチベーションを低減することなく、ユーザにコンテンツを推奨することができる。
【０１２６】
本発明の態様２に係る情報処理装置（１）は、上記の態様１において、上記推奨コンテンツリストに含まれる最もおすすめのコンテンツは、期間によらず、無料コンテンツである構成としてもよい。
【０１２７】
上記の構成によれば、推奨コンテンツリストにおいて、最もおすすめのコンテンツは無料コンテンツであるため、ユーザは、有料コンテンツが推奨されるという印象を抱きにくい。よって、コンテンツの推奨機能を使おうとするユーザのモチベーションを低減することなく、ユーザにコンテンツを推奨することができる。
【０１２８】
本発明の態様３に係る情報処理装置（１）は、上記の態様１又は２において、上記推奨コンテンツリストの対象範囲において、半数以上が無料コンテンツである構成としてもよい。
【０１２９】
上記の構成によれば、ユーザは、有料コンテンツばかりが推奨されるという印象を抱きにくい。よって、コンテンツの推奨機能を使おうとするユーザのモチベーションを低減することなく、ユーザにコンテンツを推奨することができる。
【０１３０】
本発明の態様４に係る情報処理装置（１）は、上記の態様１から３において、上記推奨コンテンツリストは推奨コンテンツを表示する順序を示す情報を含み、上記推奨コンテンツリストの対象範囲において、上記順序は、有料コンテンツが２つ以上連続しないように決定される構成としてもよい。
【０１３１】
上記の構成によれば、ユーザは、有料コンテンツばかりが推奨されるという印象を抱きにくい。よって、コンテンツの推奨機能を使おうとするユーザのモチベーションを低減することなく、ユーザにコンテンツを推奨することができる。
【０１３２】
本発明の態様５に係る情報処理装置（１）は、上記の態様１から４において、上記サーバ制御部（１０）は、上記推奨コンテンツリストの対象範囲に含まれる有料コンテンツの数を、上記推奨コンテンツリストを提示するユーザの属性に応じて変化させる構成としてもよい。
【０１３３】
上記の構成によれば、ユーザが有料コンテンツの推奨を望むユーザあるのか否かに応じて、推奨コンテンツリストの対象範囲に含まれる有料コンテンツの数を変化させることができ、コンテンツの推奨機能を使おうとするユーザのモチベーションを低減することなく、ユーザにコンテンツを推奨することができる。
【０１３４】
本発明の態様６に係る情報処理装置（１）は、上記の態様１から５において、サーバ通信部（２０）を更に備え、上記サーバ制御部（１０）は、上記推奨コンテンツリストを上記サーバ通信部（２０）を介して送信する構成としてもよい。
【０１３５】
上記の構成によれば、推奨コンテンツリストをサーバ通信部（２０）を介して外部に送信して、ユーザに提供することができる。
【０１３６】
本発明の態様７に係る情報処理装置（１）は、上記の態様６において、上記サーバ制御部（１０）は、上記推奨コンテンツリストにおける最もおすすめのコンテンツを含む通知を、上記サーバ通信部（２０）を介して送信する構成としてもよい。
【０１３７】
上記の構成によれば、最もおすすめのコンテンツを含む通知を送信して、ユーザに提供することができ、コンテンツの推奨機能を使おうとするユーザのモチベーションを向上することができる。
【０１３８】
本発明の態様８に係る情報処理システム（１００）は、情報処理装置（１）と、表示装置（５０）と備えている情報処理システム（１００）であって、上記情報処理装置（１）は、サーバ通信部（２０）とサーバ記憶部（３０）とサーバ制御部（１０）とを備え、上記サーバ制御部（１０）は、上記第１の記憶部が記憶するコンテンツ関連情報と視聴履歴情報とに基づいて、有料コンテンツ及び無料コンテンツから選択された推奨コンテンツを示す情報を含む推奨コンテンツリストを生成し、生成された推奨コンテンツリストを上記サーバ通信部（２０）を介して上記表示装置（５０）に送信し、上記表示装置（５０）は、通信部（７０）と制御部（６０）と表示部（８０）とを備え、上記制御部（６０）は、上記情報処理装置（１）から取得した上記推奨コンテンツの中から選択された最もおすすめのコンテンツを示す情報を含む推奨コンテンツリストを生成し、生成された上記推奨コンテンツリストに含まれる最もおすすめのコンテンツが無料コンテンツである割合は、ある期間において、所定の割合以上であり、生成した推奨コンテンツリストの少なくとも一部を、上記表示部（８０）に表示する構成である。
【０１３９】
上記の構成によれば、表示装置５０において、推奨コンテンツリストに含まれる各コンテンツ情報を並び替えて、表示部に表示するため、ユーザは、有料コンテンツばかりが推奨されるという印象を抱きにくい。よって、コンテンツの推奨機能を使おうとするユーザのモチベーションを低減することなく、ユーザにコンテンツを推奨することができる。
【０１４０】
本発明の各態様に係る表示装置及び情報処理装置は、コンピュータによって実現してもよく、この場合には、コンピュータを上記表示装置及び情報処理装置が備える各部（ソフトウェア要素）として動作させることにより上記表示装置及び情報処理装置をコンピュータにて実現させる表示装置及び情報処理装置の制御プログラム、およびそれを記録したコンピュータ読み取り可能な記録媒体も、本発明の範疇に入る。
【０１４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４２】
１  情報処理装置
１０  サーバ制御部（第１の制御部）
２０  サーバ通信部（通知部、第１の通信部）
３０  サーバ記憶部（記憶部、第１の記憶部）
６０  制御部（第２の制御部）
１１  コンテンツ配信部
１２  推奨コンテンツリスト生成部
５０、２５０  表示装置
６１、２２１  表示制御部
６２  視聴履歴記録部
６３  視聴履歴送信部
７０  通信部（第２の通信部）
８０  表示部
１００、２００  情報処理システム
【図１】
2019205092.tif 000003
【図２】
2019205092.tif 000004
【図３】
2019205092.tif 000005
【図４】
2019205092.tif 000006
【図５】
2019205092.tif 000007
【図６】
2019205092.tif 000008
【図７】
2019205092.tif 000009
【図８】
2019205092.tif 000010
【図９】
2019205092.tif 000011
【図１０】
2019205092.tif 000012